(57)【要約】  複数スロット（サブフレーム）を時間方向にバンドリングする将来の無線通信システムに用いられるユーザ端末。バンドリング適用時に、Front-loaded DMRS（Demodulation Reference Signal）は、先頭スロットにおいて制御チャネルの後方にマッピングされ、第２スロット以降において、Front-loaded DMRSと制御チャネルが衝突しないための規則に基づいてマッピングされる。ユーザ端末（２０）の制御部（２０３）は、第２スロット以降において、上記規則に基づいてFront-loaded DMRSのマッピング構成（マッピングの有無および／またはマッピング位置）を特定する。
2018229956.tif 000002
【特許請求の範囲】
【請求項１】
複数のスロットがバンドリングされ、制御チャネルおよびFront-loaded DMRS（Demodulation Reference Signal）を含む下りリンク信号を受信する受信部と、
前記下りリンク信号から前記制御チャネルおよび前記Front-loaded DMRSを分離する制御部と、
前記Front-loaded DMRSを用いてチャネル推定値を算出するチャネル推定部と、
を具備し、
前記Front-loaded DMRSは、
先頭スロットにおいて、前記制御チャネルの後方にマッピングされ、
第２スロット以降において、前記Front-loaded DMRSと前記制御チャネルが衝突しないための規則に基づいてマッピングされ、
前記制御部は、前記第２スロット以降において、前記規則に基づいて前記Front-loaded DMRSのマッピング構成を特定する、
ユーザ端末。
【請求項２】
前記規則は、前記制御チャネルのシンボル数が前記先頭スロットよりも多いスロットでは前記Front-loaded DMRSを衝突が発生しない位置まで後方へ移動してマッピングすることを規定する、
請求項１に記載のユーザ端末。
【請求項３】
スケジューリング情報を含む下りリンク信号を受信する受信部と、
前記下りリンク信号から前記スケジューリング情報を分離する制御部と、
前記スケジューリング情報に基づいて、上りリンク信号に制御チャネルおよびFront-loaded DMRS（Demodulation Reference Signal）をマッピングするマッピング部と、
前記上りリンク信号を、複数のスロットをバンドリングして送信する送信部と、
を具備し、
前記マッピング部は、
先頭スロットにおいて、前記制御チャネルの後方に前記Front-loaded DMRSをマッピングし、
第２スロット以降において、前記Front-loaded DMRSと前記制御チャネルが衝突しないための規則に基づいて、前記Front-loaded DMRSのマッピング構成を選択する、
ユーザ端末。
【請求項４】
前記規則は、前記制御チャネルのシンボル数が前記先頭スロットよりも多いスロットでは前記Front-loaded DMRSを衝突が発生しない位置まで後方へ移動してマッピングすることを規定する、
請求項３に記載のユーザ端末。
【請求項５】
複数のスロットがバンドリングされ、制御チャネルおよびFront-loaded DMRS（Demodulation Reference Signal）を含む下りリンク信号を受信し、
前記下りリンク信号から前記制御チャネルおよび前記Front-loaded DMRSを分離し、
前記Front-loaded DMRSを用いてチャネル推定値を算出する、
無線通信方法であって、
前記Front-loaded DMRSは、
先頭スロットにおいて、前記制御チャネルの後方にマッピングされ、
第２スロット以降において、前記Front-loaded DMRSと前記制御チャネルが衝突しないための規則に基づいてマッピングされ、
前記第２スロット以降において、前記規則に基づいて前記Front-loaded DMRSのマッピング構成を特定する、
無線通信方法。
【請求項６】
スケジューリング情報を含む下りリンク信号を受信し、
前記下りリンク信号から前記スケジューリング情報を分離し、
前記スケジューリング情報に基づいて、上りリンク信号に制御チャネルおよびFront-loaded DMRS（Demodulation Reference Signal）をマッピングし、
前記上りリンク信号を、複数のスロットをバンドリングして送信する、
無線通信方法であって、
先頭スロットにおいて、前記制御チャネルの後方に前記Front-loaded DMRSをマッピングし、
第２スロット以降において、前記Front-loaded DMRSと前記制御チャネルが衝突しないための規則に基づいて、前記Front-loaded DMRSのマッピング構成を選択する、
無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal Mobile Telecommunications System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれる）も検討されている。【０００３】
将来の無線通信システムでは、サブフレーム内におけるチャネル推定及び信号復調に要する処理時間の短縮を実現するため、復調用参照信号（例えば、ＤＭＲＳ（Demodulation Reference Signal））を、サブフレームの前方にマッピングすること（Front-loaded DMRS）が検討されている（非特許文献２）。Front-loaded DMRSは、制御チャネルと同じ、もしくは後方（例えば、直後）のシンボルにマッピングされる。【０００４】
また、将来の無線通信システムでは、複数スロット（サブフレーム）を時間方向にバンドリングすること（時間方向Bundling）が検討されている。時間方向Bundlingされた複数のスロットをまとめてチャネル推定を行うことにより、チャネル推定精度の向上、ドップラー耐性の向上等の効果を得ることができる。【０００５】
これまで、Front-loaded DMRSは、７シンボルもしくは１４シンボルの通常のスロット構成においては、制御チャネルの位置に依らず、各スロットの固定のシンボルにマッピングされている。
【先行技術文献】
【非特許文献】
【０００６】
【非特許文献１】3GPP TS 36.300 v13.4.0, “Evolved Universal Terrestrial Radio Access (E-UTRA) and Evolved Universal Terrestrial Radio Access Network (E-UTRAN); Overall description; Stage 2 (Release 13),” June 2016
【非特許文献２】R1-165575, Qualcomm, Ericsson, Panasonic, NTT Docomo, ZTE, Convida, Nokia, ASB, Sony, Intel, “Way Forward On Frame Structure,” May 2016
【発明の概要】
【発明が解決しようとする課題】
【０００７】
各スロットの制御チャネルのサイズ（シンボル数）は一定では無い。このため、時間方向Bundlingにおいて、例えば、第１スロットの制御チャネルの直後のシンボルにFront-loaded DMRSをマッピングすると、第２スロット以降において、Front-loaded DMRSと制御チャネルとが衝突する場合が生じる。【０００８】
本発明の一態様は、時間方向Bundling適用時に、Front-loaded DMRSと制御チャネルの衝突を回避できるユーザ端末及び無線通信方法を提供することを目的の一つとする。
【課題を解決するための手段】
【０００９】
本発明の一態様に係るユーザ端末は、複数のスロットがバンドリングされ、制御チャネルおよびFront-loaded DMRS（Demodulation Reference Signal）を含む下りリンク信号を受信する受信部と、前記下りリンク信号から前記制御チャネルおよび前記Front-loaded DMRSを分離する制御部と、前記Front-loaded DMRSを用いてチャネル推定値を算出するチャネル推定部と、を具備し、前記Front-loaded DMRSは、先頭スロットにおいて、前記制御チャネルの後方にマッピングされ、第２スロット以降において、前記Front-loaded DMRSと前記制御チャネルが衝突しないための規則に基づいてマッピングされ、前記制御部は、前記第２スロット以降において、前記規則に基づいて前記Front-loaded DMRSのマッピング構成を特定する。
【発明の効果】
【００１０】
本発明の一態様によれば、時間方向Bundling適用時に、Front-loaded DMRSと制御チャネルの衝突を回避できる。
【図面の簡単な説明】
【００１１】
【図１】Front-loaded DMRSと制御チャネルの衝突の可能性を説明する図である。
【図２】本発明の一実施の形態に係る無線基地局の全体構成の一例を示す図である。
【図３】本発明の一実施の形態に係るユーザ端末の全体構成の一例を示す図である。
【図４】本発明の一実施の形態におけるBundling関連情報の通知方法の具体例を示す図である。
【図５】本発明の一実施の形態におけるFront-loaded DMRSのマッピング規則の具体例（第１のマッピング規則）を示す図である。
【図６】本発明の一実施の形態におけるFront-loaded DMRSのマッピング規則の具体例（第２のマッピング規則）を示す図である。
【図７】本発明の一実施の形態におけるFront-loaded DMRSのマッピング規則の具体例（第３のマッピング規則）を示す図である。
【図８】本発明の一実施の形態におけるFront-loaded DMRSのマッピング規則の具体例（第４のマッピング規則）を示す図である。
【図９】本発明の一実施の形態におけるFront-loaded DMRSのマッピング規則をミニスロットに適用した場合の具体例（第１のマッピング規則）を示す図である。
【図１０】本発明の一実施の形態におけるFront-loaded DMRSのマッピング規則をミニスロットに適用した場合の具体例（第３のマッピング規則）を示す図である。
【図１１】ミニスロット（１シンボル）におけるFront-loaded DMRSのマッピングパターンの例を示す図である。
【図１２】ミニスロット（２シンボル）におけるFront-loaded DMRSのマッピングパターンの例を示す図である。
【図１３】ミニスロット（３シンボル）におけるFront-loaded DMRSのマッピングパターンの例を示す図である。
【図１４】ミニスロット（４〜１４シンボル）におけるFront-loaded DMRSのマッピングパターンの例を示す図である。
【図１５】本発明の一実施の形態に係る無線基地局及びユーザ端末のハードウェア構成の一例を示す図である。
【発明を実施するための形態】
【００１２】
（本発明に至った経緯）
本発明者らは、時間方向Bundling（以下、単に「Bundling」という）の適用時において、Front-loaded DMRSをマッピングする際に生じる課題について検討した。
【００１３】
一般的に、下りリンクの各スロット（サブフレーム）において、各サブキャリアの先頭からｎ（ｎは１、２、３のいずれか）シンボルまでに制御チャネルがマッピングされ、制御チャネルの直後のシンボルにFront-loaded DMRSがマッピングされる。
【００１４】
例えば、図１に示すように、第１スロットと第２スロットをBundlingし、かつ、制御チャネルが各スロットにマッピングされる構成の場合、第１スロットにおいて、先頭から２シンボルまでに制御チャネルがマッピングされ、３番目のシンボルにFront-loaded DMRSがマッピングされる構成が考えられる。
【００１５】
Front-loaded DMRSは各スロットの固定のシンボルにマッピングされるので、Bundling適用時も同様に固定シンボルにマッピングされる場合、図１の例では、第２スロットにおいても、３番目のシンボルにFront-loaded DMRSがマッピングされる。
【００１６】
このとき、第２スロットにおいて、先頭から３シンボルまでに制御チャネルがマッピングされると、３番目のシンボルにて、Front-loaded DMRSと制御チャネルとが衝突してしまう。
【００１７】
このように、Bundlingにおいて、常に、各スロットの固定のシンボルにFront-loaded DMRSをマッピングすると、第２スロット以降でFront-loaded DMRSと制御チャネルとが衝突してしまう場合が生じる。
【００１８】
本発明者らは、上記の課題を発見し、この課題を解決するために、Bundlingの適用時に、第２スロット以降のFront-loaded DMRSのマッピングを制御することを着想し、本発明に至った。
【００１９】
以下、本発明の一実施の形態について、図面を参照して詳細に説明する。
【００２０】
（一実施の形態）
本実施の形態に係る無線通信システムは、少なくとも、図２に示す無線基地局１０、及び、図３に示すユーザ端末２０を備える。ユーザ端末２０は、無線基地局１０に接続している。
【００２１】
無線基地局１０は、ユーザ端末２０に対して、下り制御チャネル（例えば、ＰＤＣＣＨ：Physical Downlink Control Channel）を用いてＤＬ制御信号を送信し、下りデータチャネル（例えば、下り共有チャネル：ＰＤＳＣＨ：Physical Downlink Shared Channel）を用いてＤＬデータ信号及びFront-loaded DMRSを送信する。また、ユーザ端末２０は、無線基地局１０に対して、上り制御チャネル（例えば、ＰＵＣＣＨ：Physical Uplink Control Channel）あるいは上りデータチャネル（例えば、上り共有チャネル：ＰＵＳＣＨ：Physical Uplink Shared Channel）を用いてＵＬ制御信号を送信し、上りデータチャネル（例えば、上り共有チャネル：ＰＵＳＣＨ：Physical Uplink Shared Channel）を用いてＵＬデータ信号及びFront-loaded DMRSを送信する。
【００２２】
なお、無線基地局１０及びユーザ端末２０が送受信する下りチャネル及び上りチャネルは、上記のＰＤＣＣＨ、ＰＤＳＣＨ、ＰＵＣＣＨ、ＰＵＳＣＨ等に限定されず、例えば、ＰＢＣＨ（Physical Broadcast Channel）、ＲＡＣＨ（Random Access Channel）等の他のチャネルでもよい。
【００２３】
また、図２及び図３では、無線基地局１０及びユーザ端末２０において生成されるＤＬ／ＵＬの信号波形は、ＯＦＤＭ（Orthogonal Frequency Division Multiplexing）変調に基づく信号波形でもよく、ＳＣ−ＦＤＭＡ（Single Carrier-Frequency Division Multiple Access）又はＤＦＴ−Ｓ−ＯＦＤＭ（DFT-Spread-OFDM））に基づく信号波形でもよく、他の信号波形でもよい。図２及び図３では、信号波形を生成するための構成部（例えば、DFT処理部、IFFT処理部、CP付加部、CP除去部、FFT処理部、IDFT処理部等）の記載を省略している。
【００２４】
また、本実施の形態に係る無線通信システムでは、無線基地局１０とユーザ端末２０との間で、時間方向のBundlingを適用した送受信を行うことができる。また、本実施の形態では、無線基地局１０が、ＤＬ、ＵＬのそれぞれについて、時間方向のBundlingの有無、Bundlingサイズ（Bundlingされるスロット数もしくはサブフレーム数）、Bundlingされる各スロットの制御チャネルサイズ（シンボル数）等の制御情報（以下、「Bundling関連情報」という）をユーザ端末２０に通知する。なお、Bundling関連情報の通知方法の詳細については後述する。
【００２５】
＜無線基地局＞
図２は、本実施の形態に係る無線基地局１０の全体構成の一例を示す図である。図２に示す無線基地局１０は、スケジューラ１０１と、送信信号生成部１０２と、符号化・変調部１０３と、マッピング部１０４と、送信部１０５と、アンテナ１０６と、受信部１０７と、制御部１０８と、チャネル推定部１０９と、復調・復号部１１０と、を含む構成を採る。
【００２６】
スケジューラ１０１は、ＤＬ信号（ＤＬデータ信号、ＤＬ制御信号及びFront-loaded DMRS等）のスケジューリング（例えば、リソース割当、アンテナポートの割当）を行う。また、スケジューラ１０１は、下りリンクのBundling適用時の各スロットにおいて、Front-loaded DMRSが下り制御チャネルと衝突しない位置にマッピングされるようにスケジューリングを行う。もしくは、下り制御チャネルと衝突しないようにFront-loaded DMRSを挿入しない。
【００２７】
また、スケジューラ１０１は、ＵＬ信号（ＵＬデータ信号、ＵＬ制御信号及びFront-loaded DMRS等）のスケジューリング（例えば、リソース割当、アンテナポートの割当）を行う。また、スケジューラ１０１は、上りリンクのBundling適用時の各スロットにおいて、Front-loaded DMRSが上り制御チャネルと衝突しない位置にマッピングされるようにスケジューリングを行う。もしくは上り制御チャネルと衝突しないようにFront-loaded DMRSを挿入しない。
【００２８】
なお、Bundling適用時におけるFront-loaded DMRSのマッピング規則の詳細については後述する。
【００２９】
また、スケジューラ１０１は、スケジューリング結果を示すスケジューリング情報を送信信号生成部１０２、マッピング部１０４及び制御部１０８に出力する。
【００３０】
また、スケジューラ１０１は、例えば、無線基地局１０とユーザ端末２０との間のチャネル品質に基づいて、ＤＬデータ信号及びＵＬデータ信号のＭＣＳ（符号化率、変調方式等）を設定し、ＭＣＳ情報を送信信号生成部１０２及び符号化・変調部１０３へ出力する。なお、ＭＣＳは、無線基地局１０が設定する場合に限定されず、ユーザ端末２０が設定してもよい。ユーザ端末２０がＭＣＳを設定する場合、無線基地局１０は、ユーザ端末２０からＭＣＳ情報を受信すればよい（図示せず）。
【００３１】
送信信号生成部１０２は、送信信号（ＤＬデータ信号、ＤＬ制御信号を含む）を生成する。例えば、ＤＬ制御信号には、スケジューラ１０１から出力されたスケジューリング情報（例えば、ＤＬデータ信号のリソース割当情報）又はＭＣＳ情報を含む下り制御情報（ＤＣＩ：Downlink Control Information）が含まれる。なお、ＤＬ制御信号には、Bundling関連情報が含まれる場合がある。送信信号生成部１０２は、生成した送信信号を符号化・変調部１０３に出力する。
【００３２】
符号化・変調部１０３は、例えば、スケジューラ１０１から入力されるＭＣＳ情報に基づいて、送信信号生成部１０２から入力される送信信号に対して、符号化処理及び変調処理を行う。符号化・変調部１０３は、変調後の送信信号をマッピング部１０４に出力する。
【００３３】
マッピング部１０４は、スケジューラ１０１から入力されるスケジューリング情報（例えば、ＤＬのリソース割当及び／又はポート割当）に基づいて、符号化・変調部１０３から入力される送信信号を所定の無線リソース（ＤＬリソース）にマッピングする。また、マッピング部１０４は、スケジューリング情報に基づいて、参照信号（例えば、Front-loaded DMRS）を所定の無線リソース（ＤＬリソース）にマッピングする。マッピング部１０４は、無線リソースにマッピングされたＤＬ信号を送信部１０５に出力する。
【００３４】
送信部１０５は、マッピング部１０４から入力されるＤＬ信号に対して、アップコンバート、増幅等の送信処理を行い、無線周波数信号（ＤＬ信号）をアンテナ１０６から送信する。
【００３５】
受信部１０７は、アンテナ１０６で受信された無線周波数信号（ＵＬ信号）に対して、増幅、ダウンコンバート等の受信処理を行い、ＵＬ信号を制御部１０８に出力する。
【００３６】
制御部１０８は、スケジューラ１０１から入力されるスケジューリング情報（ＵＬのリソース割当及び／又はポート割当）に基づいて、受信部１０７から入力されるＵＬ信号からＵＬデータ信号及びFront-loaded DMRSを分離（デマッピング）する。そして、制御部１０８は、ＵＬデータ信号をチャネル推定部１０９に出力する。
【００３７】
チャネル推定部１０９は、Front-loaded DMRSを用いてチャネル推定を行い、推定結果であるチャネル推定値を復調・復号部１１０に出力する。
【００３８】
復調・復号部１１０は、チャネル推定部１０９から入力されるチャネル推定値に基づいて、制御部１０８から入力されるＵＬデータ信号に対して復調及び復号処理を行う。復調・復号部１１０は、復調後のＵＬデータ信号を、アプリケーション部（図示せず）に転送する。なお、アプリケーション部は、物理レイヤ又はＭＡＣレイヤより上位のレイヤに関する処理などを行う。
【００３９】
＜ユーザ端末＞
図３は、本実施の形態に係るユーザ端末２０の全体構成の一例を示す図である。図３に示すユーザ端末２０は、アンテナ２０１と、受信部２０２と、制御部２０３と、チャネル推定部２０４と、復調・復号部２０５と、送信信号生成部２０６と、符号化・変調部２０７と、マッピング部２０８と、送信部２０９と、を含む構成を採る。そして、ユーザ端末２０は、ユーザ端末２０自身に割り当てられたアンテナポートにて受信した無線周波数信号の受信処理を行う。
【００４０】
受信部２０２は、アンテナ２０１で受信された無線周波数信号（ＤＬ信号）に対して、増幅、ダウンコンバート等の受信処理を行い、ＤＬ信号を制御部２０３に出力する。ＤＬ信号には、少なくとも、ＤＬデータ信号、ＤＬ制御信号及びFront-loaded DMRSが含まれる。
【００４１】
制御部２０３は、受信部２０２から入力されるＤＬ信号からＤＬ制御信号及びFront-loaded DMRSを分離（デマッピング）する。なお、制御部２０３は、後述する規則に基づいて各スロットのFront-loaded DMRSのマッピング構成（マッピングの有無および／またはマッピング位置）を特定する。そして、制御部２０３は、ＤＬ制御信号を復調・復号部２０５に出力し、Front-loaded DMRSをチャネル推定部２０４に出力する。
【００４２】
また、制御部２０３は、復調・復号部２０５から入力されるスケジューリング情報（例えば、ＤＬのリソース割当情報）に基づいて、ＤＬ信号からＤＬデータ信号を分離（デマッピング）し、ＤＬデータ信号を復調・復号部２０５に出力する。
【００４３】
チャネル推定部２０４は、分離したFront-loaded DMRSを用いてチャネル推定を行い、推定結果であるチャネル推定値を復調・復号部２０５に出力する。
【００４４】
復調・復号部２０５は、制御部２０３から入力されるＤＬ制御信号を復調する。また、復調・復号部２０５は、復調後のＤＬ制御信号に対して復号処理（例えば、ブラインド検出処理）を行う。復調・復号部２０５は、ＤＬ制御信号を復号することによって得られた自機宛てのスケジューリング情報（ＤＬ／ＵＬのリソース割当、Front-loaded DMRSのマッピング設定等）を制御部２０３及びマッピング部２０８に出力し、ＵＬデータ信号に対するＭＣＳ情報を符号化・変調部２０７へ出力する。
【００４５】
また、復調・復号部２０５は、制御部２０３から入力されるチャネル推定値、及び、ＤＬ制御信号に含まれる、ＤＬデータ信号に対するＭＣＳ情報に基づいて、制御部２０３から入力されるＤＬデータ信号に対して復調及び復号処理を行う。また、復調・復号部２０５は、復調後のＤＬデータ信号をアプリケーション部（図示せず）に転送する。なお、アプリケーション部は、物理レイヤ又はＭＡＣレイヤより上位のレイヤに関する処理などを行う。
【００４６】
送信信号生成部２０６は、送信信号（ＵＬデータ信号又はＵＬ制御信号を含む）を生成し、生成した送信信号を符号化・変調部２０７に出力する。
【００４７】
符号化・変調部２０７は、例えば、復調・復号部２０５から入力されるＭＣＳ情報に基づいて、送信信号生成部２０６から入力される送信信号に対して、符号化処理及び変調処理を行う。符号化・変調部２０７は、変調後の送信信号をマッピング部２０８に出力する。
【００４８】
マッピング部２０８は、復調・復号部２０５から入力されるスケジューリング情報（ＵＬのリソース割当）に基づいて、符号化・変調部２０７から入力される送信信号を所定の無線リソース（ＵＬリソース）にマッピングする。また、マッピング部２０８は、スケジューリング情報（例えば、Front-loaded DMRSのマッピング設定）に基づいて、参照信号（例えば、Front-loaded DMRS）を所定の無線リソース（ＵＬリソース）にマッピングする。なお、マッピング部２０８は、後述する規則に基づいて各スロットのFront-loaded DMRSのマッピング構成（マッピングの有無および／またはマッピング位置）を選択する。
【００４９】
マッピング部２０８は、無線リソースにマッピングされたＵＬ信号を送信部２０９に出力する。
【００５０】
送信部２０９は、マッピング部２０８から入力されるＵＬ信号（少なくともＵＬデータ信号及びFront-loaded DMRSを含む）に対して、アップコンバート、増幅等の送信処理を行い、無線周波数信号（ＵＬ信号）をアンテナ２０１から送信する。
【００５１】
＜Bundling関連情報の通知方法＞
次に、図４を用いて、下りリンクの時間方向Bundling関連情報の通知方法の具体例について詳細に説明する。
【００５２】
［第１の通知方法］
第１の通知方法では、図４（ａ）に示すように、無線基地局１０が、第１（先頭）スロットの制御チャネル（ＰＤＣＣＨ）で、時間方向Bundlingの適用有無、Bundlingサイズ、第１スロットの制御チャネルサイズを通知し、さらにBundlingの適用時には、第１スロットの制御チャネルで、第２スロット以降の各スロットの制御チャネルサイズを通知する。
【００５３】
［第２の通知方法］
第２の通知方法では、図４（ｂ）に示すように、無線基地局１０が、第１スロットの制御チャネルで、時間方向Bundlingの有無、Bundlingサイズ、第１スロットの制御チャネルサイズを通知し、Bundlingの適用時には、第２スロット以降の各スロットの制御チャネルで、当該スロットの制御チャネルサイズを通知する。
【００５４】
［第３の通知方法］
第３の通知方法では、図４（ｃ）に示すように、無線基地局１０が、各スロットの制御チャネルで、時間方向Bundlingの有無、当該スロットの制御チャネルサイズを通知する。
【００５５】
［その他の通知方法］
なお、無線基地局１０は、ユーザ端末２０に、各スロットの制御チャネルサイズを、明示的（explicit）に通知してもよく、暗黙的（implicit）に通知してもよい。
【００５６】
例えば、制御チャネルサイズをexplicitに通知する場合、無線基地局１０は、ＲＲＣ（Radio Resource Control）シグナリング、ＭＡＣ（Medium Access Control）シグナリング、ＰＨＹ（物理レイヤ）シグナリング等によって制御チャネルサイズをユーザ端末２０へ通知してもよい。一例として、無線基地局１０は、ＰＢＣＨで送信されるＭＩＢ（Master Information Block）、ランダムアクセス処理で用いられるＲＡＣＨメッセージ２（Random Access Response：ＲＡＲと呼ばれることもある）、ＲＡＣＨメッセージ３、ＲＡＣＨメッセージ４、ＳＩＢ（System Information Block）、ＲＲＣ、又は、ＤＣＩ（Downlink Control Information）等を用いて制御チャネルサイズをユーザ端末２０へ通知してもよい。
【００５７】
また、制御チャネルサイズをimplicitに通知する場合、無線基地局１０及びユーザ端末２０は、例えば、同期信号（Synchronization Signal：ＳＳ）、ＰＢＣＨ、ＳＩＢ又はＲＡＣＨの構成等と、制御チャネルサイズとを１対１で関連付けてもよい。例えば、ＳＳ、ＰＢＣＨ、ＳＩＢ、ＲＡＣＨの各々の構成として複数のパターンがそれぞれ規定されている場合に、複数のパターンが、各制御チャネルサイズに関連付けられるグループにグループ分けされてもよい。グループ分けの際、各パターン（例えば、ＳＳのサブキャリア間隔が異なる各パターン）に対して、当該パターンが使用される通信環境に適した制御チャネルサイズが関連付けられてもよい。
【００５８】
無線基地局１０は、制御チャネルサイズに関連付けられたグループの信号をユーザ端末２０へ送信する。そして、ユーザ端末２０は、無線基地局１０から送信された信号が属するグループに関連付けられた制御チャネルサイズを特定する。これにより、制御チャネルサイズが既存の信号によってimplicitに通知されるので、制御チャネルサイズを通知するための新たなシグナリングが不要となり、オーバーヘッドを削減できる。
【００５９】
また、無線基地局１０がユーザ端末２０に各スロットの制御チャネルサイズを通知せず、ユーザ端末２０が制御チャネルサイズをブラインドで推定しても良い。これにより、制御チャネルサイズを通知するためのシグナリングを削減し、オーバーヘッドを削減できる。
【００６０】
［上りリンクのBundling関連情報の通知方法］
無線基地局１０は、ユーザ端末２０に、下りリンクの制御チャネルを用いて、上りリンクのBundling関連情報を通知する。あるいは、無線基地局１０は、ユーザ端末２０に、上りリンクのBundling関連情報を、明示的（explicit）に通知してもよく、暗黙的（implicit）に通知してもよい。
【００６１】
＜Front-loaded DMRSのマッピング規則＞
次に、図５乃至図８を用いて、Bundlingの適用時におけるFront-loaded DMRSのマッピング規則の具体例について詳細に説明する。図５乃至図８には、リソース割り当て単位となるリソースユニット（ＲＵ：Resource Unit）（リソースブロック、リソースブロックペア等とも呼ばれる）における、Front-loaded DMRSのマッピング位置を示す。
【００６２】
ＲＵは、１６８個のリソース要素（ＲＥ：Resource Element）が時間方向に１４個、周波数方向に１２個並んだ構成を有する。１ＲＥは、１シンボルと１サブキャリアとにより定義される無線リソース領域である。つまり、１つのＲＵは、１４シンボルと１２サブキャリアとにより構成される。
【００６３】
なお、以下の説明では、ＲＵの時間方向の１４シンボルを左から順にＳＢ１〜ＳＢ１４と呼ぶ。また、ＲＵの周波数方向の１２サブキャリアを下から順にＳＣ１〜ＳＣ１２と呼ぶ。
【００６４】
図５乃至図８に共通な前提事項として、無線基地局１０（ユーザ端末２０）が、３つのスロットをBundlingし、第１スロットにおいて、各サブキャリアの先頭から２シンボルまで（ＳＢ１、ＳＢ２）に制御チャネルをマッピングし、３番目のシンボル（ＳＢ３）にFront-loaded DMRSをマッピングする。
【００６５】
［第１のマッピング規則］
第１のマッピング規則は、Bundlingされた第２スロット以降のスロットの中で、第１スロットでFront-loaded DMRSがマッピングされたシンボル位置に制御チャネルがマッピングされるスロットには、Front-loaded DMRSをマッピングしない、と規定する。
【００６６】
例えば、図５に示すように、第２スロットの先頭から３シンボルまで（ＳＢ１、ＳＢ２、ＳＢ３）に制御チャネルがマッピングされる場合、無線基地局１０（ユーザ端末２０）は、第２スロットには、Front-loaded DMRSをマッピングしない。なお、無線基地局１０（ユーザ端末２０）は、先頭から２シンボルまで（ＳＢ１、ＳＢ２）に制御チャネルがマッピングされる第３スロットには、３番目のシンボル（ＳＢ３）にFront-loaded DMRSをマッピングする。
【００６７】
これにより、第２スロット以降におけるFront-loaded DMRSのマッピング構成を通知するための新たなシグナリングが不要となり、オーバーヘッドを削減できる。
【００６８】
この場合、受信側のユーザ端末２０（無線基地局１０）は、第１、第３スロットにマッピングされたFront-loaded DMRSおよびAdditional DMRS（図示せず）を用いてチャネル推定を行う。
【００６９】
［第２のマッピング規則］
第２のマッピング規則は、Bundlingされた第２スロット以降のスロットには、Front-loaded DMRSをマッピングしない、と規定する。
【００７０】
例えば、図６に示すように、無線基地局１０（ユーザ端末２０）は、第２スロットおよび第３スロットには、Front-loaded DMRSをマッピングしない。
【００７１】
これにより、第２スロット以降におけるFront-loaded DMRSのマッピング構成を通知するための新たなシグナリングが不要となり、オーバーヘッドを削減できる。
【００７２】
この場合、受信側のユーザ端末２０（無線基地局１０）は、第１スロットにマッピングされたFront-loaded DMRSおよびAdditional DMRS（図示せず）を用いてチャネル推定を行う。
【００７３】
［第３のマッピング規則］
第３のマッピング規則は、Bundlingされた第２スロット以降の各スロットにおいて、制御チャネルがマッピングされたシンボルの直後にFront-loaded DMRSをマッピングする、と規定する。
【００７４】
例えば、図７に示すように、第２スロットの先頭から３シンボルまで（ＳＢ１、ＳＢ２、ＳＢ３）に制御チャネルがマッピングされ、第３スロットの先頭から２シンボルまで（ＳＢ１、ＳＢ２）に制御チャネルがマッピングされる場合、無線基地局１０（ユーザ端末２０）は、第２スロットの４番目のシンボル（ＳＢ４）および第３スロットの３番目のシンボル（ＳＢ３）にFront-loaded DMRSをマッピングする。
【００７５】
これにより、第２スロット以降におけるFront-loaded DMRSのマッピング構成を通知するための新たなシグナリングが不要となり、オーバーヘッドを削減できる。
【００７６】
この場合、受信側のユーザ端末２０（無線基地局１０）は、各スロットにマッピングされたFront-loaded DMRSおよびAdditional DMRS（図示せず）を用いてチャネル推定を行う。
【００７７】
なお、各スロットにおいて、制御チャネルがマッピングされたシンボルの直後にマッピング可能なシンボルが存在しない場合（全てのシンボルに制御チャネルがマッピングされた場合）には、無線基地局１０（ユーザ端末２０）は、当該スロットにFront-loaded DMRSをマッピングしない。
【００７８】
［第４のマッピング規則］
第４のマッピング規則は、Bundlingされた第２スロット以降の各スロットにおいて、無線基地局１０で、Front-loaded DMRSと制御チャネルが衝突しないように、Front-loaded DMRSのマッピング構成（マッピングの有無および／またはマッピング位置）を決定する、と規定する。
【００７９】
また、第４のマッピング規則では、無線基地局１０が、ユーザ端末２０に、Front-loaded DMRSのマッピング構成をシグナリングで通知する。ユーザ端末２０は、シグナリングで通知された内容に従い、Front-loaded DMRSの分離およびマッピングを行う。第４のマッピング規則により、ユーザ端末２０との間の伝播環境、ユーザ端末２０の移動速度、処理能力等に応じて、Front-loaded DMRSのマッピングを柔軟に行うことができる。
【００８０】
例えば、図８に示すように、無線基地局１０は、第２スロットの４番目のシンボル（ＳＢ４）および第３スロットの２番目のシンボル（ＳＢ２）にFront-loaded DMRSをマッピングするように決定し、ユーザ端末２０にシグナリングで通知する。このとき、第２スロットの先頭から３シンボルまで（ＳＢ１、ＳＢ２、ＳＢ３）に制御チャネルがマッピングされ、第３スロットの先頭シンボル（ＳＢ１）に制御チャネルがマッピングされているので、Front-loaded DMRSが制御チャネルと衝突することは無い。
【００８１】
この場合、受信側のユーザ端末２０（無線基地局１０）は、各スロットにマッピングされたFront-loaded DMRSおよびAdditional DMRS（図示せず）を用いてチャネル推定を行う。
【００８２】
なお、第４のマッピング規則では、Front-loaded DMRSのマッピング位置を、スロット毎に異なる設定としても良く、全てのスロットにおいて共通にしても良い。
【００８３】
また、第４のマッピング規則では、無線基地局１０が、シグナリングを、スロット毎に通知しても良く、第２スロット以降を共通に設定してまとめて通知しても良い。また、無線基地局１０が、第２スロット以降のシグナリングを、第１スロットと同一の方法で通知しても良く、第１スロットと異なる方法で通知しても良い。例えば、第１スロットについてＤＣＩにより動的に通知し、第２スロット以降についてＲＲＣにより静的に通知しても良い。
【００８４】
また、上記のシグナリングは、ユーザ端末２０毎に個別のシグナリングとしても良いし、割り当てＲＢ毎、サブバンド毎、リソースブロックグループ（ＲＢＧ）毎、コンポーネントキャリア（ＣＣ）毎、セル毎、キャリア周波数毎に共通のシグナリングとしても良い。また、上記のシグナリングは、ＲＲＣシグナリング、ＭＡＣシグナリング、ＰＨＹYシグナリングのいずれでも良い。また、上記のシグナリングは、周期的に通知されても良いし、動的（非周期的）に通知されても良い。
【００８５】
＜本実施の形態の効果＞
このように、本実施の形態では、無線基地局１０およびユーザ端末２０は、Bundlingの適用時において、第２スロット以降の各スロットにおけるFront-loaded DMRSのマッピング構成（マッピングの有無および／またはマッピング位置）を、制御チャネルとの衝突を回避するための規則に則って制御する。これにより、Bundling適用時に、Front-loaded DMRSと制御チャネルの衝突を回避できる。
【００８６】
また、本実施の形態では、第２スロット以降の各スロットにおけるFront-loaded DMRSのマッピング構成を、第１スロットのFront-loaded DMRSのマッピング位置に関連付ける、あるいは、予め設定しておく。これにより、新たなシグナリングが不要となり、オーバーヘッドを削減できる。
【００８７】
また、本実施の形態では、第２スロット以降の各スロットにおけるFront-loaded DMRSのマッピング構成を適宜決定し、シグナリングで通知する。これにより、伝播環境等に応じて、Front-loaded DMRSのマッピングを柔軟に行うことができる。
【００８８】
なお、本実施の形態において、制御チャネルのシンボル位置は、図５乃至図８に示したものには限られず、例えば、一部のシンボルのサブキャリア（ＲＥ）にのみマッピングされても良い。
【００８９】
また、本実施の形態では、適用されるFront-loaded DMRSのマッピング規則は、各無線基地局１０からユーザ端末２０にシグナリングで通知されても良く、仕様書に記載しておいても良い。また仕様書に記載された規則がシグナリングで変更されても良い。
【００９０】
また、本実施の形態では、Bundlingされたスロット内で、複数のFront-loaded DMRSのマッピング規則を組み合わせて適用しても良い。
【００９１】
＜ミニスロット適用例＞
上述した例では、１６８個のＲＥが時間方向に１４個、周波数方向に１２個並んだ構成を有するＲＵにおけるマッピングパターンについて説明したが、本発明はこれに限定されない。例えば、シンボル数が１〜１４のいずれかであるミニスロットと呼ばれるリソース割り当て単位におけるFront-loaded DMRSのマッピングに対しても、本発明は適用される。
【００９２】
［適用例１］
図９は、上記第１のマッピング規則を、３シンボルのミニスロットに適用した場合の一例を示す。図９の例では、無線基地局１０（ユーザ端末２０）が、第１、第３スロットにおいて先頭シンボル（ＳＢ１）に制御チャネルをマッピングし、第２スロットにおいて先頭から２シンボルまで（ＳＢ１、ＳＢ２）に制御チャネルをマッピングしている。
【００９３】
この場合、無線基地局１０（ユーザ端末２０）は、第２スロットには、Front-loaded DMRSをマッピングしない。なお、無線基地局１０（ユーザ端末２０）は、第３スロットには、２番目のシンボル（ＳＢ２）にFront-loaded DMRSをマッピングする。
【００９４】
受信側のユーザ端末２０（無線基地局１０）は、第１、第３スロットにマッピングされたFront-loaded DMRSおよびAdditional DMRS（図示せず）を用いてチャネル推定を行う。
【００９５】
［適用例２］
図１０は、上記第３のマッピング規則を、５シンボルのミニスロットに適用した場合の一例を示す。図１０の例では、無線基地局１０（ユーザ端末２０）が、第１、第３スロットにおいて先頭シンボル（ＳＢ１）に制御チャネルをマッピングし、第２スロットにおいて先頭から２シンボルまで（ＳＢ１、ＳＢ２）に制御チャネルをマッピングしている。
【００９６】
この場合、無線基地局１０（ユーザ端末２０）は、第２スロットの３番目のシンボル（ＳＢ３）、および、第３スロットの２番目のシンボル（ＳＢ２）に、Front-loaded DMRSをマッピングする。
【００９７】
受信側のユーザ端末２０（無線基地局１０）は、各スロットにマッピングされたFront-loaded DMRSおよびAdditional DMRS（図示せず）を用いてチャネル推定を行う。
【００９８】
なお、本実施の形態において、ミニスロットのシンボル位置は、図９、図１０に示したものには限られない。また、Bundling適用時に、シンボル数が互いに異なるミニスロットが混在していても良い。この場合、上記第１のマッピング規則を適用する場合であっても、第１スロットとシンボル数が異なるスロットについては、他のマッピング規則を適用しても良い。
【００９９】
＜ミニスロットにおけるFront-loaded DMRSマッピングパターンの例＞
次に、ミニスロットにおけるFront-loaded DMRSのマッピングパターンの例を図１１乃至図１４を用いて説明する。
【０１００】
［１シンボルのミニスロット］
図１１は、１シンボルのミニスロットにおけるFront-loaded DMRSのマッピングパターンの例を示す。図１１（ａ）は、第１、第３、第５、第７、第９、第１１サブキャリアにFront-loaded DMRSがマッピングされた例を示す。図１１（ｂ）は、第３、第７、第１１サブキャリアにFront-loaded DMRSがマッピングされた例を示す。図１１（ｃ）は、第１、第２、第７、第８サブキャリアにFront-loaded DMRSがマッピングされた例を示す。図１１（ｄ）は、第３、第９サブキャリアにFront-loaded DMRSがマッピングされた例を示す。図１１（ｅ）は、第６、第７サブキャリアにFront-loaded DMRSがマッピングされた例を示す。図１１（ｆ）は、第６サブキャリアにFront-loaded DMRSがマッピングされた例を示す。
【０１０１】
［２シンボルのミニスロット］
図１２は、２シンボルのミニスロットにおけるFront-loaded DMRSのマッピングパターンの例を示す。なお、図１２では、いずれも、全てのサブキャリアの先頭シンボルに制御チャネルがマッピングされる場合を示す。
【０１０２】
図１２（ａ）は、２番目のシンボル（ＳＢ２）の第１、第３、第５、第７、第９、第１１サブキャリアにFront-loaded DMRSがマッピングされた例を示す。図１２（ｂ）は、２番目のシンボル（ＳＢ２）の第３、第７、第１１サブキャリアにFront-loaded DMRSがマッピングされた例を示す。図１２（ｃ）は、２番目のシンボル（ＳＢ２）の第１、第２、第７、第８サブキャリアにFront-loaded DMRSがマッピングされた例を示す。図１２（ｄ）は、２番目のシンボル（ＳＢ２）の第３、第９サブキャリアにFront-loaded DMRSがマッピングされた例を示す。図１２（ｅ）は、２番目のシンボル（ＳＢ２）の第６、第７サブキャリアにFront-loaded DMRSがマッピングされた例を示す。図１２（ｆ）は、２番目のシンボル（ＳＢ２）の第６サブキャリアにFront-loaded DMRSがマッピングされた例を示す。
【０１０３】
［３シンボルのミニスロット］
図１３は、３シンボルのミニスロットにおけるFront-loaded DMRSのマッピングパターンの例を示す。なお、図１３では、いずれも、全てのサブキャリアの先頭シンボルに制御チャネルがマッピングされる場合を示す。
【０１０４】
図１３（ａ）は、２番目のシンボル（ＳＢ２）の第１、第３、第５、第７、第９、第１１サブキャリアにFront-loaded DMRSがマッピングされた例を示す。図１３（ｂ）は、２番目のシンボル（ＳＢ２）の第３、第７、第１１サブキャリアにFront-loaded DMRSがマッピングされた例を示す。図１３（ｃ）は、２番目のシンボル（ＳＢ２）の第３、第４、第５、第６サブキャリアにFront-loaded DMRSがマッピングされた例を示す。図１３（ｄ）は、２番目のシンボル（ＳＢ２）の第３、第９サブキャリアにFront-loaded DMRSがマッピングされた例を示す。図１３（ｅ）は、２番目のシンボル（ＳＢ２）の第６、第７サブキャリアにFront-loaded DMRSがマッピングされた例を示す。図１３（ｆ）は、２番目のシンボル（ＳＢ２）の第６サブキャリアにFront-loaded DMRSがマッピングされた例を示す。
【０１０５】
［４〜１４シンボルのミニスロット］
図１４は、４〜１４シンボルのいずれかのミニスロットにおけるFront-loaded DMRSのマッピングパターンの例を示す。なお、図１４では、いずれも、全てのサブキャリアの先頭シンボルに制御チャネルがマッピングされる場合を示す。
【０１０６】
図１４（ａ）は、２番目のシンボル（ＳＢ２）の第１、第３、第５、第７、第９、第１１サブキャリアにFront-loaded DMRSがマッピングされた例を示す。図１４（ｂ）は、２番目および３番目のシンボル（ＳＢ２、ＳＢ３）の第１、第３、第５、第７、第９、第１１サブキャリアにFront-loaded DMRSがマッピングされた例を示す。図１４（ｃ）は、２番目のシンボル（ＳＢ２）の第１、第２、第７、第８サブキャリアルにFront-loaded DMRSがマッピングされた例を示す。図１４（ｄ）は、２番目および３番目のシンボル（ＳＢ２、ＳＢ３）の第１、第２、第７、第８サブキャリアにFront-loaded DMRSがマッピングされた例を示す。
【０１０７】
＜その他＞
なお、本実施の形態では、上述の第１乃至第４のFront-loaded DMRSのマッピング規則のいずれかを、同一セル内に位置する全てのユーザ端末２０に対して共通に適用しても良く、ユーザ端末２０毎に適宜選択しても良い。また、全ての無線基地局１０に共通のマッピング規則を適用しても良く、無線基地局１０毎にマッピング規則を適宜選択しても良い。
【０１０８】
また、本実施の形態では、各無線基地局１０が、データチャネルに応じて上述の第１乃至第４のFront-loaded DMRSのマッピング規則を選択しても良い。例えば、各無線基地局１０が、特定のデータチャネルを含むサブフレームのFront-loaded DMRSをマッピングする際に、予め決められたマッピング規則を選択しても良い。特定のデータチャネルとは、例えば、System Informationを含むデータチャネル、ＳＲＢ（Signaling Radio Bearer）を含むデータチャネル、Hand over commandを含むデータチャネル、Common search spaceで送信されたＤＣＩ（Downlink Control Information）でスケジューリングされたデータチャネル、および、Activation commandを含むデータチャネル等である。
【０１０９】
また、本実施の形態では、無線基地局１０が、Front-loaded DMRSを、レイヤ間で直交するようにレイヤ毎にマッピング（レイヤ多重）してもよいし、レイヤ共通にマッピング（１レイヤ送信）してもよい。また、無線基地局１０が、アンテナポート番号を、Front-loaded DMRSのポート番号のいずれかと共通に設定してもよいし、異なるポート番号に設定してもよい。
【０１１０】
なお、上述したFront-loaded DMRSは、復調用ＲＳと呼ばれても良い。また、Front-loaded DMRSは、参照信号等と呼ばれても良い。
【０１１１】
以上、本発明の各実施の形態について説明した。
【０１１２】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１１３】
例えば、本発明の一実施の形態における無線基地局、ユーザ端末などは、本発明の無線通信方法の処理を行うコンピュータとして機能してもよい。図１５は、本発明の一実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１１４】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１１５】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１１６】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１１７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のスケジューラ１０１、制御部１０８，２０３、送信信号生成部１０２，２０６、符号化・変調部１０３，２０７、マッピング部１０４，２０８、チャネル推定部１０９，２０４、復調・復号部１１０，２０５などは、プロセッサ１００１で実現されてもよい。
【０１１８】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０のスケジューラ１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１１９】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１２０】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１２１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０５，２０９、アンテナ１０６，２０１、受信部１０７，２０２などは、通信装置１００４で実現されてもよい。
【０１２２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１２３】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１２４】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１２５】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１２６】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１２７】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１２８】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１２９】
（入出力の方向）
情報及び信号等は、上位レイヤ(または下位レイヤ)から下位レイヤ(または上位レイヤ)に出力され得る。複数のネットワークノードを介して入出力されてもよい。
【０１３０】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１３１】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１３２】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１３３】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１３４】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３５】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１３６】
（「システム」、「ネットワーク」）
本明細書で使用する「システム」および「ネットワーク」という用語は、互換的に使用される。
【０１３７】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１３８】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１３９】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「ｇＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、ｇＮｏｄｅＢ、アクセスポイント（access point）、フェムトセル、スモールセルなどの用語で呼ばれる場合もある。
【０１４０】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０１４１】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１４２】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１４３】
参照信号は、ＲＳ（Reference Signal）と略称することもでき、適用される標準によってパイロット（Pilot）と呼ばれてもよい。また、Front-loaded DMRSは、対応する別の呼び方であってもよい。
【０１４４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１４５】
上記の各装置の構成における「部」を、「手段」、「回路」、「デバイス」等に置き換えてもよい。
【０１４６】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１４７】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０１４８】
無線フレーム、サブフレーム、スロット、ミニスロット、およびシンボルは、いずれも信号を伝送する際の時間単位を表す。無線フレーム、サブフレーム、スロット、ミニスロット、およびシンボルは、それぞれに対応する別の呼び方であってもよい。
【０１４９】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０１５０】
例えば、１サブフレームをＴＴＩと呼んでもよいし、複数の連続したサブフレームをＴＴＩと呼んでもよいし、１スロットをＴＴＩと呼んでもよいし、１ミニスロットをＴＴＩと呼んでもよい。
【０１５１】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１ミニスロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０１５２】
上述した無線フレームの構造は例示に過ぎず、無線フレームに含まれるサブフレームの数、サブフレームに含まれるスロットの数、サブフレームに含まれるミニスロットの数、スロットに含まれるシンボルおよびリソースブロックの数、および、リソースブロックに含まれるサブキャリアの数は様々に変更することができる。
【０１５３】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１５４】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１５５】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１５６】
本発明の一態様は、移動通信システムに有用である。
【符号の説明】
【０１５７】
１０  無線基地局
２０  ユーザ端末
１０１  スケジューラ
１０２，２０６  送信信号生成部
１０３，２０７  符号化・変調部
１０４，２０８  マッピング部
１０５，２０９  送信部
１０６，２０１  アンテナ
１０７，２０２  受信部
１０８，２０３  制御部
１０９，２０４  チャネル推定部
１１０，２０５  復調・復号部
【図１】
2018229956.tif 000003
【図２】
2018229956.tif 000004
【図３】
2018229956.tif 000005
【図４】
2018229956.tif 000006
【図５】
2018229956.tif 000007
【図６】
2018229956.tif 000008
【図７】
2018229956.tif 000009
【図８】
2018229956.tif 000010
【図９】
2018229956.tif 000011
【図１０】
2018229956.tif 000012
【図１１】
2018229956.tif 000013
【図１２】
2018229956.tif 000014
【図１３】
2018229956.tif 000015
【図１４】
2018229956.tif 000016
【図１５】
2018229956.tif 000017
【国際調査報告】
2018229956.tif 000018
2018229956.tif 000019
2018229956.tif 000020
2018229956.tif 000021